(57)【要約】【課題】施錠のし忘れや、不審者の来訪に対する安全性を高めたインターホンシステムを提供すること。【解決手段】室外に設けられ、来訪者が操作し、住居人を呼び出す少なくとも一つの呼び出しスイッチ１１と、門扉に設置された電子錠２０と、呼び出しスイッチ１１が操作されたことを検出する呼び出し信号検出回路３１と、この呼び出し信号検出回路３１により、呼び出しスイッチ１１の操作が検出された時、電子錠２０を施錠する電子錠制御回路３３とを備える。【選択図】  図１
2004220099.tif 000002
【特許請求の範囲】
【請求項１】
室外に設けられ、来訪者が操作し、住居人を呼び出す少なくとも一つの呼び出しスイッチと、
門扉に設置された電子錠と、
前記呼び出しスイッチが操作されたことを検出する検出手段と、
この検出手段により、前記呼び出しスイッチの操作が検出された時、前記電子錠を施錠する電子錠制御手段とを備えたことを特徴とするインターホンシステム。
【請求項２】
室外に設けられ、来訪者を検知する少なくとも一つの来訪者検知手段と、
門扉に設置された電子錠と、
前記来訪者検知手段により、前記来訪者が検知された時、前記電子錠を施錠する電子錠制御手段とを備えたことを特徴とするインターホンシステム。
【請求項３】
前記電子錠の状態を表示する電子錠状態表示手段をさらに備えたことを特徴とする請求項１または請求項２に記載のインターホンシステム。
【請求項４】
前記電子錠の制御条件を設定する電子錠制御設定手段をさらに備え、
前記電子錠制御手段は、前記電子錠制御設定手段の設定に従って、前記電子錠を施錠させることを特徴とする請求項１乃至請求項３の何れかに記載のインターホンシステム。
【発明の詳細な説明】
【０００１】
【発明の属する技術分野】
本発明は、インターホンシステムに関し、特に、電子錠の施錠を操作可能なインターホンシステムに関するものである。
【０００２】
【従来の技術】
従来、この種のインターホンシステムは、図９に示すように、室外に設けられ、来訪者が操作し、住居人を呼び出す呼び出しスイッチ１を有する少なくとも一つのインターホン子機２（図中、「子機」と略す。）と、このインターホン子機２の呼び出しスイッチ１が押下された時、インターホン子機２の呼び出しスイッチ１から出力される呼び出し信号を検出する呼び出し信号検出回路３を有するインターホン親機４（図中、「親機」と略す。）と、門扉に設置された電子錠５とを備え、インターホン親機４には、電子錠５を住居人が手動で開閉する操作を行う電子錠開閉スイッチ６と、この電子錠開閉スイッチ６の操作に基づいて、電子錠５の開閉を制御する電子錠制御回路７とがさらに設けられ、電子錠５の開閉の制御をインターホン親機４の電子錠開閉スイッチ６またはインターホン子機２に別途設けられた電子錠５の制御用のスイッチ（図示無し）などの電子錠専用スイッチの操作を施すことによってのみ電子錠５の制御を行うものであった（例えば、特許文献１参照。）。また、インターホンシステムと、電子錠制御システムが、別々のシステムとして設置されている場合もあった。
【０００３】
【特許文献１】
特開平５−８６７５６号公報
【０００４】
【発明が解決しようとする課題】
しかし、このような従来のインターホンシステムでは、インターホン親機により手動で電子錠の閉錠を行わねばならないため、施錠のし忘れや、突然の不審者の来訪に対して、安全性が低いという問題点があった。
【０００５】
本発明はこのような問題を解決するためになされたもので、施錠のし忘れや、不審者の来訪に対する安全性を高めたインターホンシステムを提供するものである。
【０００６】
【課題を解決するための手段】
本発明のインターホンシステムは、室外に設けられ、来訪者が操作し、住居人を呼び出す少なくとも一つの呼び出しスイッチと、門扉に設置された電子錠と、前記呼び出しスイッチが操作されたことを検出する検出手段と、この検出手段により、前記呼び出しスイッチの操作が検出された時、前記電子錠を施錠する電子錠制御手段とを備えたことを特徴とした構成を有している。
【０００７】
この構成により、呼び出しスイッチに連動して、電子錠を施錠することができ、施錠のし忘れや、突然の不審者の来訪に対する、安全性を高めることとなる。
【０００８】
また、本発明のインターホンシステムは、室外に設けられ、来訪者を検知する少なくとも一つの来訪者検知手段と、門扉に設置された電子錠と、前記来訪者検知手段により、前記来訪者が検知された時、前記電子錠を施錠する電子錠制御手段とを備えたことを特徴とした構成を有している。
【０００９】
この構成により、来訪者を検知する、例えば、赤外線センサなどからの検知信号に応じて、電子錠を施錠することができ、施錠のし忘れや、突然の不審者の来訪に対する、安全性を高めることとなる。
【００１０】
さらに、本発明のインターホンシステムは、前記電子錠の状態を表示する電子錠状態表示手段をさらに備えても良い。この構成により、住居人は、電子錠の状態を容易に確認することができることとなる。
【００１１】
また、本発明のインターホンシステムは、前記電子錠の制御条件を設定する電子錠制御設定手段をさらに備えても良く、前記電子錠制御手段は、前記電子錠制御設定手段の設定に従って、前記電子錠を施錠させても良い。この構成により、呼び出しスイッチの操作が検出された場合や、来訪者が検知された場合に、電子錠の施錠を行うか否かを電子錠制御設定手段により設定することにより、例えば、来訪予定者がいる場合、住居人が電子錠を開錠する手間を省くことができたり、また、住居人が一時的に屋外に出た場合などに、誤って締め出されることを防止できることとなる。
【００１２】
【発明の実施の形態】
以下、本発明の実施の形態について、図面を用いて説明する。尚、すべての図面において、同様な構成要素は同じ参照記号および符号を用いて示してある。
【００１３】
（第１の実施の形態）
【００１４】
図１に示すように、本発明の第１の実施の形態のインターホンシステムは、室外に設けられ、来訪者が操作し、住居人を呼び出す呼び出しスイッチ１１を有する少なくとも一つのインターホン子機１０（図中、「子機」と略す。）と、門扉に設置された電子錠２０と、インターホン子機１０に電気的に接続され、インターホン子機１０の呼び出しスイッチ１１から出力される呼び出し信号を受信し、住居人に訪問者の来訪を報知するとともに、住居人が操作するインターホン親機３０（図中、「親機」と略す。）とを備えたものである。
【００１５】
インターホン親機３０は、インターホン子機１０の呼び出しスイッチ１１に電気的に接続され、インターホン子機１０の呼び出しスイッチ１１が操作された時、インターホン子機１０の呼び出しスイッチ１１から出力される呼び出し信号を検出する呼び出し信号検出回路３１と、電子錠２０に電気的に接続され、呼び出し信号検出回路３１により、インターホン子機１０の呼び出しスイッチ１１からの呼び出し信号が検出された時、電子錠２０を施錠する電子錠制御回路３３と、電子錠制御回路３３に電気的に接続され、住居人が操作して、電子錠２０を開閉する電子錠開閉スイッチ３５とを有している。
【００１６】
このように構成された本発明の第１の実施の形態のインターホンシステムの動作について、下記に図２を用いて説明する。図２は、本発明の第１の実施の形態のインターホンシステムの動作フローを示す。図２に示すように、本発明の第１の実施の形態のインターホンシステムにおいて、インターホン子機１０の呼び出しスイッチ１１が来訪者により押下されると（ステップＳ１０１）、呼び出し信号が出力され（ステップＳ１０２）、インターホン親機３０の呼び出し信号検出回路３１により、呼び出し信号が検出されると（ステップＳ１０３）、インターホン親機３０の電子錠制御回路３３に訪問者の来訪を通知し（ステップＳ１０４）、インターホン親機３０の電子錠制御回路３３により、電子錠２０が施錠される（ステップＳ１０５）。住居人は、インターホン親機３０のモニタ（図示無し）や、スピーカ（図示無し）を通じて、来訪者を確認して応答し、必要に応じて、インターホン親機３０の電子錠開閉スイッチ３５を操作して、電子錠２０の開閉を行う（ステップＳ１０６）。
【００１７】
尚、電子錠開閉スイッチ３５の操作は、必要に応じて、いつでも住居人は操作可能である。
【００１８】
以上のように、本発明の第１の実施の形態のインターホンシステムは、少なくとも一つのインターホン子機１０に、来訪者が操作し、住居人を呼び出す呼び出しスイッチ１１を設け、インターホン親機３０に、呼び出しスイッチ１１が操作されたことを検出する呼び出し信号検出回路３１と、この呼び出し信号検出回路３１により、呼び出しスイッチ１１の操作が検出された時、門扉に設置された電子錠２０を施錠する電子錠制御回路３３とを設けているので、呼び出しスイッチ１１に連動して、電子錠２０を施錠することができ、施錠のし忘れや、突然の不審者の来訪に対する、安全性を高めることができる。
【００１９】
尚、上記実施の形態では、電子錠２０の開閉をインターホン親機３０から行う構成としたが、電子錠システムの制御盤（図示無し）などから開閉させても良い。
【００２０】
（第２の実施の形態）
【００２１】
図３は、本発明の第２の実施の形態のインターホンシステムの要部概略ブロック図を示す。これは、上記第１の実施の形態とはさらにインターホン親機４０（図中、「親機」と略す。）に、電子錠２０の開閉状態を表示する電子錠開閉表示器４１を設けた点が相違している。
【００２２】
インターホン親機４０の電子錠開閉表示器４１は、電子錠制御回路３３に電気的に接続され、電子錠２０の状態、例えば、開、閉、および故障などの状態を電子錠制御回路３３から受け取り、表示するものである。
【００２３】
インターホン親機４０の電子錠開閉表示器４１は、例えば、ＬＥＤ表示器、ランプ、液晶表示器などであり、インターホン親機４０に設けられた監視カメラ（図示無し）の映像を表示する表示器（図示無し）の画面上に表示しても良い。
【００２４】
このように構成された本発明の第２の実施の形態のインターホンシステムの動作について、以下に図４を用いて説明する。図４は、本発明の第２の実施の形態のインターホンシステムの動作フローを示す。これは、上記第１の実施の形態とは、さらに電子錠２０の状態をインターホン親機４０の電子錠開閉表示器４１に表示するステップＳ２０１およびステップＳ２０２を設けた点が相違している。
【００２５】
詳細には、インターホン親機４０の電子錠制御回路３３により、電子錠２０の施錠が行われると（ステップＳ１０５）、インターホン親機４０の電子錠制御回路３３により、インターホン親機４０の電子錠開閉表示器４１に電子錠２０の閉状態を表示するよう指示がなされ、これに従い、インターホン親機４０の電子錠開閉表示器４１により、電子錠２０の閉状態が表示され（ステップＳ２０１）、その後、住居人がインターホン親機４０のモニタ（図示無し）や、スピーカ（図示無し）を通じて、来訪者を確認して応答し、必要に応じて、インターホン親機４０の電子錠開閉スイッチ３５を操作して、電子錠２０の施錠を解除した後（ステップＳ１０６）、インターホン親機４０の電子錠制御回路３３により、インターホン親機４０の電子錠開閉表示器４１に電子錠２０の開状態を表示するよう指示がなされ、これに従い、インターホン親機４０の電子錠開閉表示器４１により、電子錠２０の開状態が表示される（ステップＳ２０２）。
【００２６】
尚、インターホン親機４０の電子錠開閉表示器４１への電子錠２０の状態表示は、上記ステップＳ２０１およびステップＳ２０２以外でも、常時、表示しても良いし、また必要な時に表示するようにしても良い。
【００２７】
以上のように、本発明の第２の実施の形態のインターホンシステムは、インターホン親機４０に電子錠開閉表示器４１を設けているので、住居人は、電子錠の状態を容易に確認することができる。
【００２８】
（第３の実施の形態）
【００２９】
図５は、本発明の第３の実施の形態のインターホンシステムの要部概略ブロック図を示す。これは、上記第２の実施の形態とはさらにインターホン親機５０（図中、「親機」と略す。）に、電子錠２０の制御条件を設定する電子錠制御設定スイッチ５１を設けた点が相違している。
【００３０】
インターホン親機５０の電子錠制御設定スイッチ５１は、例えば、ディップスイッチ、専用スイッチ、操作用シートキー、操作ボタンなどであり、インターホン親機５０の呼び出し信号検出回路３１により呼び出し信号が検出された場合に、電子錠２０の施錠を行うか否かを設定するものである。
【００３１】
本実施の形態において、インターホン親機５０の電子錠制御設定スイッチ５１の設定がオンの場合は、インターホン親機５０の呼び出し信号検出回路３１により呼び出し信号が検出された時に、電子錠２０の施錠を行い、一方、インターホン親機５０の電子錠制御設定スイッチ５１の設定がオフの場合は、インターホン親機５０の呼び出し信号検出回路３１により呼び出し信号が検出された時でも、電子錠２０の施錠を行わないようになっている。尚、インターホン親機５０の電子錠制御設定スイッチ５１のオン、オフ時の動作は、上記と逆でも良い。
【００３２】
インターホン親機５０の電子錠制御設定スイッチ５１は、インターホン親機５０の電子錠制御回路３３に電気的に接続される。このインターホン親機５０の電子錠制御設定スイッチ５１の設定に基づいて、インターホン親機５０の電子錠制御回路３３は、インターホン親機５０の呼び出し信号検出回路３１により呼び出し信号が検出された場合に、電子錠２０の施錠を行うか否かを判断する。
【００３３】
このように構成された本発明の第３の実施の形態のインターホンシステムの動作について、以下に図６を用いて説明する。図６は、本発明の第３の実施の形態のインターホンシステムの動作フローを示す。これは、上記第２の実施の形態とは、インターホン親機５０の呼び出し信号検出回路３１により呼び出し信号が検出された場合に、インターホン親機５０の電子錠制御設定スイッチ５１の設定に基づいて、インターホン親機５０の電子錠制御回路３３が、電子錠２０の施錠を行うか否かを判断するステップＳ３０１をさらに設けた点が相違している。
【００３４】
詳細には、インターホン親機５０の呼び出し信号検出回路３１により、インターホン親機５０の電子錠制御回路３３に訪問者の来訪が通知されると（ステップＳ１０４）、インターホン親機５０の電子錠制御回路３３により、インターホン親機５０の電子錠制御設定スイッチ５１の設定が参照され、インターホン親機５０の呼び出し信号検出回路３１により呼び出し信号が検出された場合に、電子錠２０の施錠を行うか否かが判断される（ステップＳ３０１）。ここで、インターホン親機５０の電子錠制御設定スイッチ５１の設定がオンとなっていた場合、すなわち、電子錠２０の施錠を行う設定となっていた場合は、電子錠２０を施錠するステップＳ１０５へ進み、インターホン親機５０の電子錠制御設定スイッチ５１の設定がオフとなっていた場合、すなわち、電子錠２０の施錠を行わない設定となっていた場合は、そのまま処理を終了する。
【００３５】
以上のように、本発明の第３の実施の形態のインターホンシステムは、電子錠２０の制御条件を設定する電子錠制御設定スイッチ５１をさらに備え、電子錠制御回路３３は、電子錠制御設定スイッチ５１の設定に従って、電子錠２０を施錠させるので、呼び出しスイッチ１１の操作が検出された場合に、電子錠２０の施錠を行うか否かを設定スイッチにより設定することにより、例えば、来訪予定者がいる場合、住居人が電子錠を開錠する手間を省くことができたり、また、住居人が一時的に屋外に出た場合などに、誤って締め出されることを防止できる。
【００３６】
尚、上記実施の形態では、インターホン親機５０に電子錠開閉表示器４１を設けた構成としたが、必ずしも設けなくても良い。
【００３７】
（第４の実施の形態）
【００３８】
図７は、本発明の第４の実施の形態のインターホンシステムの要部概略ブロック図を示す。これは、上記第３の実施の形態とは、門扉付近に接近した来訪者などを検知する少なくとも一つの赤外線センサ６０をさらに備え、インターホン親機７０（図中、「親機」と略す。）に赤外線センサ６０からの来訪者検知信号を検出する来訪者検知信号検出回路７１をさらに設けた点が相違している。
【００３９】
このように構成された本発明の第４の実施の形態のインターホンシステムの動作について、以下に図８を用いて説明する。図８は、本発明の第４の実施の形態のインターホンシステムの動作フローを示す。これは、上記第３の実施の形態とは、さらに赤外線センサ６０からの来訪者検知信号を検出するステップＳ４０１乃至ステップＳ４０３を設けた点が相違している。
【００４０】
詳細には、赤外線センサ６０により、来訪者が検知された場合（ステップＳ４０１）は、赤外線センサ６０により、来訪者検知信号が出力され（ステップＳ４０２）、インターホン親機７０の来訪者検知信号検出回路７１により、来訪者検知信号が検知され（ステップＳ４０３）、訪問者の来訪が通知される（ステップＳ１０４）。赤外線センサ６０により、来訪者が検知されない場合（ステップＳ４０１）は、そのまま呼び出しスイッチ１１の押下の監視に戻る（ステップＳ１０１）。
【００４１】
以上のように、本発明の第４の実施の形態のインターホンシステムは、室外に設けられ、来訪者を検知する少なくとも一つの赤外線センサ６０と、門扉に設置された電子錠２０とを備え、インターホン親機７０に、赤外線センサ６０により、来訪者が検知された時、電子錠２０を施錠する電子錠制御回路３３を設けているので、赤外線センサ６０からの検知信号に応じて、電子錠２０を施錠することができ、施錠のし忘れや、突然の不審者の来訪に対する、安全性を高めることができる。
【００４２】
また、上記実施の形態では、インターホン親機７０に電子錠開閉表示器４１および電子錠制御設定スイッチ５１を有する構成としたが、これらは必ずしも設けなくても良いし、何れか一方のみでも良い。
【００４３】
【発明の効果】
以上説明したように、本発明は、室外に設けられ、来訪者が操作し、住居人を呼び出す少なくとも一つの呼び出しスイッチと、門扉に設置された電子錠と、前記呼び出しスイッチが操作されたことを検出する検出手段と、この検出手段により、前記呼び出しスイッチの操作が検出された時、前記電子錠を施錠する電子錠制御手段とを備えることにより、呼び出しスイッチに連動して、電子錠を施錠することができ、施錠のし忘れや、突然の不審者の来訪に対する、安全性を高めることができるという優れた効果を有するインターホンシステムを提供することができるものである。
【図面の簡単な説明】
【図１】本発明の第１の実施の形態のインターホンシステムの要部を示す概略ブロック図
【図２】本発明の第１の実施の形態のインターホンシステムの動作フロー図
【図３】本発明の第２の実施の形態のインターホンシステムの要部を示す概略ブロック図
【図４】本発明の第２の実施の形態のインターホンシステムの動作フロー図
【図５】本発明の第３の実施の形態のインターホンシステムの要部を示す概略ブロック図
【図６】本発明の第３の実施の形態のインターホンシステムの動作フロー図
【図７】本発明の第４の実施の形態のインターホンシステムの要部を示す概略ブロック図
【図８】本発明の第４の実施の形態のインターホンシステムの動作フロー図
【図９】従来のインターホンシステムの要部を示す概略ブロック図
【符号の説明】
１０  インターホン子機
１１  呼び出しスイッチ
２０  電子錠
３０  インターホン親機
３１  呼び出し信号検出回路（検出手段）
３３  電子錠制御回路（電子錠制御手段）
３５  電子錠開閉スイッチ
４０  インターホン親機
４１  電子錠開閉表示器（電子錠状態表示手段）
５０  インターホン親機
５１  電子錠制御設定スイッチ（電子錠制御設定手段）
６０  赤外線センサ（来訪者検知手段）
７０  インターホン親機
７１  来訪者検知信号検出回路（来訪者検知手段）
【図１】
2004220099.tif 000003
【図２】
2004220099.tif 000004
【図３】
2004220099.tif 000005
【図４】
2004220099.tif 000006
【図５】
2004220099.tif 000007
【図６】
2004220099.tif 000008
【図７】
2004220099.tif 000009
【図８】
2004220099.tif 000010
【図９】
2004220099.tif 000011